【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
撮影装置が備える装着部に取り付け可能な取り付け部と、撮像装置の撮影レンズにより結像された像を表示する表示装置と、この表示装置に表示された像を観察する接眼光学系と、この接眼光学系の視度を変更する視度調整手段とを有し、撮影装置に対して着脱可能な観察装置であって、
上記視度調整手段により視度を調整する際に上記表示装置の視野内に表示すべき視度調整用図像が保存されており、
上記視度調整手段の操作を検知する検知手段と、この検知手段からの検知信号によって上記表示装置を制御する制御装置を有し、
上記検知手段は上記視度調整手段の操作または上記視度調整手段の操作による上記接眼光学系の移動を検知することにより検知信号を出力するように構成され、
上記制御装置は上記検知手段から出力される検知信号によって上記表示装置に上記視度調整用図像を表示するように上記表示装置を制御することを特徴とする観察装置。
【請求項２】
視度調整用の図像は、表示装置に表示されている像にオーバーレイして表示されることを特徴とする請求項１記載の観察装置。
【請求項３】
視度調整手段は、接眼光学系を構成する光学素子の一部または全部を移動して視度を変更することを特徴とする請求項１または２記載の観察装置。
【請求項４】
接眼光学系は、正または負の屈折力を有するレンズ、少なくとも１面の反射面を有するプリズム、反射面を有するミラーを備えていることを特徴とする請求項１乃至３のいずれかに記載の観察装置。
【請求項５】
表示装置は、透過または反射照明により像を表示する液晶素子を使用した表示装置であることを特徴とする請求項１乃至４のいずれかに記載の観察装置。
【請求項６】
表示装置は、自己発光により像を表示するＣＲＴ（Ｃａｔｈｏｄｅ  Ｒａｙ  Ｔｕｂｅ）またはＥＬ（Ｅｌｅｃｔｒｏ  Ｌｕｍｉｎｅｓｃｅｎｃｅ）素子を使用した表示装置であることを特徴とする請求項１乃至５のいずれかに記載の観察装置。
【請求項７】
視度調整用図像は、コントラストまたは空間周波数が高い図像からなることを特徴とする請求項１乃至６のいずれかに記載の観察装置。
【請求項８】
請求項１乃至７のいずれかに記載の観察装置を取り付け可能な装着部を備えている撮影装置。
【手続補正２】
【補正対象書類名】明細書
【補正対象項目名】０００８
【補正方法】変更
【補正の内容】
【０００８】
請求項１に係る発明は、撮影装置が備える装着部に取り付け可能な取り付け部と、撮像装置の撮影レンズにより結像された像を表示する表示装置と、この表示装置に表示された像を観察する接眼光学系と、この接眼光学系の視度を変更する視度調整手段とを有し、撮影装置に対して着脱可能な観察装置であって、上記視度調整手段により視度を調整する際に上記表示装置の視野内に表示すべき視度調整用図像が保存されており、上記視度調整手段の操作を検知する検知手段と、この検知手段からの検知信号によって上記表示装置を制御する制御装置を有し、上記検知手段は上記視度調整手段の操作または上記視度調整手段の操作による上記接眼光学系の移動を検知することにより検知信号を出力するように構成され、上記制御装置は上記検知手段から出力される検知信号によって上記表示装置に上記視度調整用図像を表示するように上記表示装置を制御することを特徴とする。
【手続補正３】
【補正対象書類名】明細書
【補正対象項目名】０００９
【補正方法】変更
【補正の内容】
【０００９】
請求項２に係る発明は、請求項１記載の発明において、視度調整用の図像は、表示装置に表示されている像にオーバーレイして表示されることを特徴とする。
【手続補正４】
【補正対象書類名】明細書
【補正対象項目名】００１０
【補正方法】変更
【補正の内容】
【００１０】
請求項３に係る発明は、請求項１または２記載の発明において、視度調整手段は、接眼光学系を構成する光学素子の一部または全部を移動して視度を変更することを特徴とする。
【手続補正５】
【補正対象書類名】明細書
【補正対象項目名】００１１
【補正方法】変更
【補正の内容】
【００１１】
請求項４に係る発明は、請求項１乃至３のいずれかに記載の発明において、接眼光学系は、正または負の屈折力を有するレンズ、少なくとも１面の反射面を有するプリズム、反射面を有するミラーを備えていることを特徴とする。
【手続補正６】
【補正対象書類名】明細書
【補正対象項目名】００１２
【補正方法】変更
【補正の内容】
【００１２】
請求項５に係る発明は、請求項１乃至４のいずれかに記載の発明において、表示装置は、透過または反射照明により像を表示する液晶素子を使用した表示装置であることを特徴とする。
【手続補正７】
【補正対象書類名】明細書
【補正対象項目名】００１３
【補正方法】変更
【補正の内容】
【００１３】
請求項６に係る発明は、請求項１乃至５のいずれかに記載の発明において、表示装置は、自己発光により像を表示するＣＲＴ（Ｃａｔｈｏｄｅ  Ｒａｙ  Ｔｕｂｅ）またはＥＬ（Ｅｌｅｃｔｒｏ  Ｌｕｍｉｎｅｓｃｅｎｃｅ）素子を使用した表示装置であることを特徴とする。
【手続補正８】
【補正対象書類名】明細書
【補正対象項目名】００１４
【補正方法】変更
【補正の内容】
【００１４】
請求項７に係る発明は、請求項１乃至６のいずれかに記載の発明において、視度調整用図像は、コントラストまたは空間周波数が高い図像からなることを特徴とする。
【手続補正９】
【補正対象書類名】明細書
【補正対象項目名】００１５
【補正方法】変更
【補正の内容】
【００１５】
請求項８に係る発明は、撮影装置に関する発明であって、請求項１乃至７のいずれかに記載の観察装置を取り付け可能な装着部を備えていることを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
請求項１に係る発明によれば、像を表示する表示装置と、この表示装置に表示された像を観察する接眼光学系と、この接眼光学系の視度を変更する視度調整手段とを有する観察装置であって、上記視度調整手段により視度を調整する際に上記表示装置の視野内に表示すべき視度調整用図像が保存されていることを特徴とするため、観察者は視度を合わせやすい図像を見ながら正確な視度の調整を容易に行なうことが可能となる。
また、視度調整手段の操作を検知する検知手段と、この検知手段からの検知信号によって表示装置を制御する制御装置を有し、上記検知手段は視度調整手段の操作または接眼光学系の移動を検知することにより検知信号を出力するように構成され、上記制御装置は上記検知手段から出力される検知信号によって表示装置に視度調整用図像を表示するように表示装置を制御するため、特別な操作を行なうことなく視度調整用図像が表示され、視度調整が容易になる。特別な操作部材を設ける必要が無いため、コストやデザイン上で有利となる効果もある。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
請求項２に係る発明によれば、前項記載の発明において、視度調整用の図像は、表示装置に表示されている像にオーバーレイして表示されるため、観察装置本来の目的で使用中にもその行為を中断することなく視度の調整を行うことが可能となる。
【手続補正１６】
【補正対象書類名】明細書
【補正対象項目名】００２２
【補正方法】変更
【補正の内容】
【００２２】
請求項３に係る発明によれば、前項記載の発明において、視度調整手段は、接眼光学系を構成する光学素子の一部または全部を移動して視度を変更することを特徴とするため、低コストで動作が確実な機構で視度の調整を行うことが可能となる。
【手続補正１７】
【補正対象書類名】明細書
【補正対象項目名】００２３
【補正方法】変更
【補正の内容】
【００２３】
請求項４に係る発明によれば、前項記載の発明において、接眼光学系は、正または負の屈折力を有するレンズ、少なくとも１面の反射面を有するプリズム、反射面を有するミラーを備えているため、接眼光学系の構成を様々なタイプの構成にすることが可能になる。
【手続補正１８】
【補正対象書類名】明細書
【補正対象項目名】００２４
【補正方法】変更
【補正の内容】
【００２４】
本発明に用いる表示装置は、請求項５に係る発明のように、透過または反射照明により像を表示する液晶素子を使用し、あるいは、請求項６に係る発明のように、自己発光により像を表示するＣＲＴまたはＥＬ素子を使用することができる。また、このような表示装置に、様々な種類の視度調整用図像を容易に表示することができ、必要に応じて視度調整用図像を任意に切替えて表示することが可能となる。
【手続補正１９】
【補正対象書類名】明細書
【補正対象項目名】００２５
【補正方法】変更
【補正の内容】
【００２５】
請求項７に係る発明によれば、観察装置を有する撮影装置であって、視度調整用図像は、コントラストまたは空間周波数が高い図像からなっているため、観察者が視度を合わせる際に、コントラストが最も高くなる位置や、最も細かいパターンが読み取れる位置を探すことができ、その位置により、容易に正確な視度調整を行うことが可能となる。
【手続補正２０】
【補正対象書類名】明細書
【補正対象項目名】００２６
【補正方法】削除
【補正の内容】
【手続補正２１】
【補正対象書類名】明細書
【補正対象項目名】００３５
【補正方法】変更
【補正の内容】
【００３５】
図２乃至図６には示していないが、これらに示す実施例も、図１について説明した検知手段４と同様の検知手段を備えるとともに、図１について説明した制御装置２と同様の制御装置を備えている。上記検知手段は、視度調整手段を構成するレバーやダイヤル類に観察者の指が接触していることを検知する静電スイッチ等の検知スイッチで構成することができる。あるいは、視度調整手段を構成するレバーやダイヤル類をロックするロック手段に連動して動作するスイッチであって、ロック手段によるロック解除を検知するスイッチで構成することができる。これらスイッチからの出力を用いて表示装置１に視度調整用図像を表示させるように制御装置２が動作する。上記検知手段は、視度調整手段の操作によって接眼光学系が移動することを検知することにより検知信号を出力するように構成してもよい。また、表示装置１に視度調整用図像を表示させるための単独の操作スイッチを用いてもよい。